(57)【特許請求の範囲】
【請求項１】
桝底部に流れ勾配のない湾曲溝を形成した桝本体の上端開口部に、継ぎ筒体を正面から見た桝本体の上端開口部の中心線の左側にも右側にも所定角度で傾くように取付け、桝本体の上端開口部と継ぎ筒体の間に挟着した割りカラーによって、継ぎ筒体を所定角度で上記中心線の左側又は右側に傾けたまま固定するようにしたことを特徴とする左右両用曲がり桝。
【請求項２】
継ぎ筒体が、上筒部とこれより小径の下筒部を一体に形成して、上筒部の環状下端面の左半周部分を所定角度で左上がりに、右半周部分を同じ角度で右上がりにそれぞれ傾斜させたものであって、下筒部を桝本体の上端開口部に嵌め込むことにより前記中心線の左側にも右側にも所定角度で傾くように取付けられており、割りカラーは、上面を下面に対して所定角度の２倍の角度で傾斜させて、中央部から両端部へ近づくほど厚みを減少させた半環状のカラーであって、継ぎ筒体の上筒部の環状下端面及び桝本体の上端開口部の環状上端面のそれぞれの左半周部分（前記中心線の左側の半周部分）の間又は右半周部分（前記中心線の右側の半周部分）の間に挟着されることを特徴とする請求項１に記載の左右両用曲がり桝。
【請求項３】
桝本体の上端開口部が、その環状上端面の左半周部分（前記中心線の左側の半周部分）を所定角度で左下がりに、右半周部分（前記中心線の右側の半周部分）を同じ角度で右下がりにそれぞれ傾斜させたものであり、継ぎ筒体は、上筒部とこれより小径の下筒部を一体に形成したものであって、下筒部を桝本体の上端開口部に嵌め込むことにより前記中心線の左側にも右側にも所定角度で傾くように取付けられており、割りカラーは、上面を下面に対して所定角度の２倍の角度で傾斜させて、中央部から両端部へ近づくほど厚みを減少させた半環状のカラーであって、継ぎ筒体の上筒部の水平な環状下端面及び桝本体の環状上端面のそれぞれの左半周部分（前記中心線の左側の半周部分）の間又は右半周部分（前記中心線の右側の半周部分）の間に挟着されることを特徴とする請求項１に記載の左右両用曲がり桝。
【請求項４】
継ぎ筒体が、上筒部とこれより小径の下筒部を一体に形成したものであって、この上筒部の平坦な環状下端面と桝本体の上端開口部の環状上端面との間に隙間があくように下筒部を上端開口部に嵌め込んで枢着することにより、継ぎ筒体が前記中心線の左側にも右側にも所定角度で傾くように取付けられており、割りカラーは、上面を下面に対して所定角度の２倍の角度で傾斜させて、中央部から両端部へ近づくほど厚みを減少させた半環状のカラーであって、継ぎ筒体の上筒部の環状下端面及び桝本体の環状上端面のそれぞれの左半周部分（前記中心線の左側の半周部分）の間又は右半周部分（前記中心線の右側の半周部分）の間に挟着されることを特徴とする請求項１に記載の左右両用曲がり桝。
【発明の詳細な説明】
【０００１】
【発明の属する技術分野】
本発明は、宅地内の排水管路の屈曲点に埋設される左右両用曲がり桝に関する。
【０００２】
【従来の技術】
従来から、宅地内の排水管路の屈曲点には、曲がり桝と呼ばれる排水桝が埋設されている。この曲がり桝は、桝底部に湾曲溝を形成したもので、９０°曲がり桝と４５°曲がり桝が主流を占めている。
【０００３】
９０°曲がり桝は、桝底部の湾曲溝が略１／４円弧状に湾曲し、その両端の排水管接続口に上流側及び下流側の排水管を差し込むと、双方の排水管を直角に接続できるものである。また、４５°曲がり桝は、桝底部の湾曲溝が略１／８円弧状に湾曲し、その両端の排水管接続口に上流側及び下流側の排水管を差し込むと、双方の排水管を１３５°の角度で接続できるものである。
【０００４】
９０°曲がり桝には、排水管路の流れ勾配と合致するように、湾曲溝の一端の排水管接続口から他端の排水管接続口に向かって流れ勾配を付けたものと、逆に湾曲溝の他端の排水管接続口から一端の排水管接続口に向かって流れ勾配を付けたものとの２種類がある。同様に、４５°曲がり桝にも、湾曲溝の一端の排水管接続口から他端の排水管接続口に向かって流れ勾配を付けたものと、逆に湾曲溝の他端の排水管接続口から一端の排水管接続口に向かって流れ勾配を付けたものとの２種類がある。
【０００５】
このように、従来の９０°曲がり桝や４５°曲がり桝には、逆向きの流れ勾配を付けたものが２種類づつあるので、在庫の種類の多さが問題となっていた。
【０００６】
そこで、在庫の種類を半減させるため、桝底部に流れ勾配のない略１／４円弧状の湾曲溝を形成した左右兼用タイプの９０°曲がり桝や、同様に流れ勾配のない略１／８円弧状の湾曲溝を形成した左右兼用タイプの４５°曲がり桝が造られるようになった。
【０００７】
このような左右兼用タイプの曲がり桝は、湾曲溝に流れ勾配が付くように左側又は右側に少し傾けて排水管路の屈曲点に設置され、その上端開口部に高さ調節筒（アジャスター）を接続して地中に埋設される。そして、この高さ調節筒の上端に桝蓋が被せられる。
【０００８】
【発明が解決しようとする課題】
しかしながら、上記の左右兼用タイプの曲がり桝は、湾曲溝に流れ勾配が付くように左側又は右側に少し傾けて埋設するため、その上端開口部に接続された高さ調節筒も左側又は右側に少し傾くことになる。このように高さ調節筒が少し傾くと、その上端に被せた桝蓋が水平にならないで湾曲溝と同じ勾配が付くため、桝蓋の片側が地面から突き出して体裁が悪くなり、歩行者が桝蓋に躓く危険性もあった。
【０００９】
また、上記の左右兼用タイプの曲がり桝は、業者の経験と勘を頼りに適当に傾けて湾曲溝に流れ勾配を付けることが多いため、湾曲溝の流れ勾配が不正確になりやすいという問題もあった。
【００１０】
本発明は、これらの問題を一挙に解決できる左右両用曲がり桝を提供することを目的とする。
【００１１】
【課題を解決するための手段】
上記目的を達成するため、本発明の請求項１に係る左右両用曲がり桝は、桝底部に流れ勾配のない湾曲溝を形成した桝本体の上端開口部に、継ぎ筒体を正面から見た桝本体の上端開口部の中心線の左側にも右側にも所定角度で傾くように取付け、桝本体の上端開口部と継ぎ筒体の間に挟着した割りカラーによって、継ぎ筒体を所定角度で上記中心線の左側又は右側に傾けたまま固定するようにしたことを特徴とするものである。
【００１２】
ここに「所定角度」とは、左側又は右側に傾けたまま固定された継ぎ筒体が真上を向くように桝本体を反対側に傾けたとき、桝底部の湾曲溝に適正な流れ勾配が付く角度を意味する。
【００１３】
斯かる構成の左右両用曲がり桝は、排水管路の屈曲点において、桝底部の湾曲溝に右流れの勾配を付けて埋設したい場合には、継ぎ筒体を所定角度で左側に傾けたまま割りカラーで固定する。そして、継ぎ筒体の上に水準器等を載せ、継ぎ筒体の上端面を水平にして継ぎ筒体が真上を向くように桝本体を右側へ所定角度傾けて設置し、継ぎ筒体には高さ調節筒を嵌合して桝蓋を被せる。このように桝本体を右側へ所定角度傾けて設置すると、桝底部の湾曲溝には右流れの適正な勾配が付き、また、継ぎ筒体と高さ調節筒が真上を向くので、その上端に被せた桝蓋が水平になって地面と面一になる。従って、体裁が良くなり、歩行者が桝蓋に躓く危険も解消される。
【００１４】
一方、桝底部の湾曲溝に左流れの勾配を付けて埋設したい場合は、上記と逆に継ぎ筒体を所定角度で右側に傾けたまま割りカラーで固定し、継ぎ筒体が真上を向くように桝本体を左側に所定角度傾けて設置すると共に、高さ調節筒を継ぎ筒体に嵌合して上端に桝蓋を被せればよい。
【００１５】
【発明の実施の形態】
以下、図面を参照しながら本発明の具体的な実施形態を詳述する。
【００１６】
図１は本発明の一実施形態に係る左右両用曲がり桝の分解正面図、図２及び図３はいずれも同曲がり桝の正面図で、図２は継ぎ筒体が左側へ傾いた状態を、図３は継ぎ筒体が右側へ傾いた状態を示したものである。また、図４は同曲がり桝の桝本体の平面図、図５は同曲がり桝に用いる割りカラーの斜視図、図６は同曲がり桝の使用状態の説明図である。
【００１７】
この実施形態は左右両用の９０°曲がり桝を示しており、この９０°曲がり桝は、合成樹脂で成形された桝本体１と継ぎ筒体２と割りカラー３とで構成されている。
【００１８】
図１〜図４に示すように、桝本体１の桝底部には、流れ勾配のない湾曲溝１ａが略１／４円弧状に形成されている。そして、該湾曲溝１ａの両端には、ソケット形の排水管接続口１ｂ，１ｃが桝側壁から突き出して形成されており、これらの排水管接続口１ｂ，１ｃに上流側及び下流側の排水管（不図示）を差込むと、直角に接続できるようになっている。
【００１９】
この桝本体１の上端は水平に開口され、この上端開口部１ｄに上記継ぎ筒体２の小径の下筒部２ｂが嵌め込まれるようになっている。また、桝本体１の桝底下面には環状の支持脚部１ｅが設けられ、桝本体１の設置安定性が高められている。
【００２０】
一方、継ぎ筒体２は、図１に示すように、桝本体１の上端開口部１ｄの外径に等しい外径を有する上筒部２ａと、これより小径の下筒部２ｂを一体に形成したものである。
【００２１】
この継ぎ筒体２の上筒部２ａの環状下端面２ｃの左半周部分は所定角度θで左上がりに傾斜し、右半周部分は同じ角度θで右上がりに傾斜している。そして、上筒部２ａには、環状下端面２ｃの左半周部分と右半周部分の境界点を示す目印２ｄが設けられている。この目印２ｄで示される境界点は、後述するように継ぎ筒体２を桝本体１の上端開口部１ｄに取付けたときに支点となるもので、図１では正面中央の境界点のみが目印２ｄで示されているが、背面中央にも同様の境界点を示す目印が設けられている。
【００２２】
このような継ぎ筒体２は、上記目印２ｄで示される境界点を、桝本体１の上端開口部１ｄの正面中央に形成した目印１ｆに合わせて、小径の下筒部２ｂを上端開口部１ｄに嵌め込むことにより取付けられる。このように継ぎ筒体２を桝本体１の上端開口部１ｄに取付けると、上記目印２ｄで示される境界点を支点として、図２、図３に示すように、継ぎ筒体２を正面から見た桝本体１の上端開口部１ｄの中心線の左側にも右側にも所定角度θで傾けることが可能となる。
【００２３】
上記の割りカラー３は、図１，図５に示すように、中央部から両端部へ近づくほど厚みを減少させた半環状のカラーであって、その上面３ａが下面３ｂに対して所定角度θの２倍の角度で傾斜している。しかして、図２又は図３に示すように継ぎ筒体２を所定角度θで左側又は右側へ傾けたまま、継ぎ筒体２の上筒部２ａの環状下端面２ｃ及び桝本体１の上端開口部１ｄの環状上端面１ｇのそれぞれの右半周部分（上記中心線の右側の半周部分）の間又は左半周部分（上記中心線の左側の半周部分）の間に割りカラー３を挟着すると、継ぎ筒体２を左側又は右側へ傾けたまま固定できるようになっている。
【００２４】
既述したように、所定角度θとは、左側又は右側に傾けたまま固定された継ぎ筒体２が真上を向くように桝本体１を反対側に傾けたとき、桝底部の湾曲溝１ａに適正な流れ勾配が付く角度を意味するが、この「適正な流れ勾配」は、桝本体１の排水管接続口１ｂ，１ｃに接続する排水管の管径の大きさ（換言すれば排水管接続口１ｂ，１ｃの内径の大きさ）によって若干相違しており、排水管の管径が大きくなるほど適正な流れ勾配は小さくなる。例えば、管径が１００ｍｍの排水管を接続するものでは２／１００の流れ勾配が適正とされ、管径が１２５ｍｍの排水管を接続するものでは１．７／１００の流れ勾配が適正とされ、管径が１５０ｍｍの排水管を接続するものでは１．５／１００の流れ勾配が適正とされ、管径が２００ｍｍの排水管を接続するものでは１．２／１００の流れ勾配が適正とされている。従って、接続する排水管の管径に応じた上記の適正な流れ勾配が湾曲溝１ａに付くように所定角度θを変更することが必要で、２／１００の流れ勾配を付ける場合は約１．６°、１．７／１００の流れ勾配を付ける場合は約１．４°、１．５／１００の流れ勾配を付ける場合は約１．２°、１．２／１００の流れ勾配を付ける場合は約１．０°に設定する必要がある。
【００２５】
以上のような構成の左右両用曲がり桝は、排水管路の屈曲点において桝底部の湾曲溝１ａに右流れの勾配を付けて埋設したい場合、つまり、左の排水管接続口１ｂに上流側の排水管を接続し右の排水管接続口１ｃに下流側の排水管を接続して埋設したい場合には、図２に示すように継ぎ筒体２を所定角度θで左側に傾けたまま割りカラー３を挟着して固定する。そして、継ぎ筒体２の上に水準器等（不図示）を載せ、図６に示すように継ぎ筒体２の上端面を水平にして継ぎ筒体２が真上を向くように桝本体１を右側へ所定角度θ傾けて設置し、排水管接続口１ｂ，１ｃに上流側及び下流側の排水管４，４を差込み接続すると共に、継ぎ筒体２に高さ調節筒５を嵌合し、その上端に桝蓋６を被せて埋設する。
【００２６】
このように桝本体１を右側へ所定角度θ傾けて設置すると、桝底部の湾曲溝１ａには所定角度θに対応した適正な右流れの勾配が付き、継ぎ筒体２と高さ調節筒５が真上を向くので、その上端に被せた桝蓋６が水平になって地面Ｇと面一になる。従って、体裁が良くなり、従来のように歩行者が桝蓋６に躓く危険も解消される。
【００２７】
一方、桝底部の湾曲溝１ａに左流れの勾配を付けて埋設したい場合は、上記と逆に継ぎ筒体２を所定角度θで右側に傾けたまま割りカラー３で固定し、継ぎ筒体２が真上を向くように桝本体１を左側に所定角度θ傾けて設置し、排水管接続口１ｂ，１ｃに排水管４，４を差込み接続すると共に、高さ調節筒４を継ぎ筒体２に嵌合して上端に桝蓋６を被せればよい。
【００２８】
図７は本発明の他の実施形態に係る左右両用曲がり桝の分解正面図、図８は継ぎ筒体が左側へ傾いた状態の同曲がり桝の正面図である。
【００２９】
この実施形態の左右両用曲がり桝も、桝本体１と継ぎ筒体２と割りカラー３とで構成されたものであるが、桝本体１の上端開口部１ｄの環状上端面１ｇは水平に形成されてなく、該環状上端面１ｇの左半周部分が所定角度θで左下がりに、右半周部分も同じ角度θで右下がりにそれぞれ傾斜している。そして、この環状上端面１ｇの左半周部分と右半周部分の境界点を示す目印１ｈが形成されており、この目印１ｈで示される境界点は、継ぎ筒体２を桝本体１の上端開口部１ｄに取付けたときに支点となるものである。尚、図７では上端開口部１ｄの正面中央の境界点のみが目印１ｈで示されているが、背面中央にも同様の境界点を示す目印が設けられている。
【００３０】
一方、継ぎ筒体２は、上筒部２ａとこれより小径の下筒部２ｂを一体に形成したもので、上筒部２ａの環状下端面２ｃは水平に形成されている。この継ぎ筒体２は、図８に示すように下筒部２ｂを桝本体１の上端開口部１ｄに嵌め込むことによって取付けられており、目印１ｈで示される境界点を支点として、前記中心線の左側にも右側にも所定角度θで傾くようになっている。
【００３１】
また、割りカラー３は既述したものと同様であり、継ぎ筒体２の上筒部２ａの環状下端面２ｃ及び桝本体１の環状上端面１ｇのそれぞれの左半周部分の間又は右半周部分の間に挟着すると、継ぎ筒体２を左側又は右側に所定角度θ傾けたまま固定できるようになっている。
【００３２】
この曲がり桝の他の構成は前記実施形態の曲がり桝と同様であるので、図７，図８において同一部材には同一符号を付し、説明を省略する。
【００３３】
かかる構成の左右両用曲がり桝も、桝底部の湾曲溝１ａに右流れの勾配を付けて埋設したい場合は、図８に示すように継ぎ筒体２を所定角度θで左側に傾けたまま割りカラー３を挟着して固定し、継ぎ筒体２の上端面を水平にして継ぎ筒体２が真上を向くように桝本体１を右側へ所定角度θ傾けて設置する。そして、排水管接続口１ｂ，１ｃに上流側及び下流側の排水管（不図示）を差込み接続すると共に、継ぎ筒体２に高さ調節筒（不図示）を嵌合し、その上端に桝蓋（不図示）を被せて埋設すればよい。このように埋設すると、湾曲溝１ａに適正な右流れの勾配を付けることができ、しかも、桝蓋が水平になって地面と面一になるため体裁が良くなり、歩行者が桝蓋に躓く危険を解消することができる。
【００３４】
一方、桝底部の湾曲溝１ａに左流れの勾配を付けて埋設したい場合は、上記と逆に継ぎ筒体２を所定角度θで右側に傾けたまま割りカラー３で固定し、継ぎ筒体２が真上を向くように桝本体１を左側に所定角度θ傾けて設置し、排水管接続口１ｂ，１ｃに排水管を差込み接続すると共に、高さ調節筒を継ぎ筒体２に嵌合して上端に桝蓋を被せればよい。
【００３５】
図９は本発明の更に他の実施形態に係る左右両用曲がり桝の分解正面図、図１０は同曲がり桝の正面図、図１１は継ぎ筒体が左側へ傾いた状態の同曲がり桝の正面図である。
【００３６】
この実施形態の左右両用曲がり桝も、桝本体１と継ぎ筒体２と割りカラー３とで構成されているが、桝本体１の上端開口部１ｄの環状上端面１ｇ、及び、継ぎ筒体２の上筒部２ａの環状下端面２ｃは、いずれも水平に形成されている。そして、桝本体１の上端開口部１ｄの正面中央と背面中央には一対の軸受部１ｉ（図では正面中央の軸受部のみが表れている）が形成され、継ぎ筒体２の下筒部２ｂの正面中央と背面中央にも一対の軸受孔２ｅが形成されている。
【００３７】
この継ぎ筒体２は、図１０に示すように、環状下端面２ｃと桝本体の環状上端面１ｂとの間に隙間をあけて、小径の下筒部２ｂを桝本体１の上端開口部１ｄに嵌め込むと共に、軸受部１ｉと軸受孔２ｅに支軸７を通して回動可能に枢着することにより、図１１に示すように継ぎ筒体２が正面から見た桝本体１の上端開口部１ｄの中心線の左側にも右側にも所定角度θで傾くように取付けられている。上記の隙間の大きさ（上下寸法）は、継ぎ筒体２が図１１に示すように傾いて継ぎ筒体２の上筒部２ａの環状下端面２ｃと桝本体１の環状上端面１ｇが接触したときの継ぎ筒体２の傾く角度がθとなるように、調節する必要があることは言うまでもない。
【００３８】
また、割りカラー３は、前述の割りカラー３と同様に中央部から両端部へ近づくほど厚みを減少させた半環状のカラーであって、その上面３ａを下面３ｂに対して所定角度θの２倍の角度で傾斜させたものであるが、両端部の最小厚みを上記の隙間の大きさ（上下寸法）と同一にしている点で、前述の割りカラー３と相違している。
【００３９】
この曲がり桝の他の構成は前記実施形態の曲がり桝と同様であるので、図９〜図１１において同一部材には同一符号を付し、説明を省略する。
【００４０】
上記構成の左右両用曲がり桝も、桝底部の湾曲溝１ａに右流れの勾配を付けて埋設したい場合は、図１１に示すように継ぎ筒体２を所定角度θで左側に傾けたまま割りカラー３を挟着して固定し、継ぎ筒体２の上端面を水平にして継ぎ筒体２が真上を向くように桝本体１を右側へ所定角度θ傾けて設置する。そして、排水管接続口１ｂ，１ｃに上流側及び下流側の排水管（不図示）を差込み接続すると共に、継ぎ筒体２に高さ調節筒（不図示）を嵌合し、その上端に桝蓋（不図示）を被せて埋設すればよい。このように埋設すると、湾曲溝１ａに適正な右流れの勾配を付けることができ、しかも、桝蓋が水平になって地面と面一になるため体裁が良くなり、歩行者が桝蓋に躓く危険を解消することができる。
【００４１】
一方、桝底部の湾曲溝１ａに左流れの勾配を付けて埋設したい場合は、上記と逆に継ぎ筒体２を所定角度θで右側に傾けたまま割りカラー３で固定し、継ぎ筒体２が真上を向くように桝本体１を左側に所定角度θ傾けて設置し、排水管接続口１ｂ，１ｃに排水管を差込み接続すると共に、高さ調節筒を継ぎ筒体２に嵌合して上端に桝蓋を被せればよい。
【００４２】
既述した実施形態の左右兼用曲がり桝はいずれも、桝底部の湾曲溝１ａを略１／４円弧状に形成した９０°曲がり桝であるが、本発明は湾曲溝１ａを略１／８円弧状に形成した４５°曲がり桝など、曲がり角度が種々異なる曲がり桝にも勿論適用できるものである。
【００４３】
【発明の効果】
以上の説明から明らかなように、本発明の左右両用曲がり桝は、排水管路の屈曲点において、簡単な作業により桝底部の湾曲溝に適正な右流れ又は左流れの勾配を付けて埋設することができるので施工性に優れており、しかも、桝蓋が水平になって地面と面一になるため体裁が良くなり、歩行者が桝蓋に躓く危険を解消することができるといった顕著な効果を奏する。
【図面の簡単な説明】
【図１】本発明の一実施形態に係る左右両用曲がり桝の分解正面図である。
【図２】同曲がり桝の正面図で、継ぎ筒体が左側へ傾いた状態を示したものである。
【図３】同曲がり桝の正面図で、継ぎ筒体が右側へ傾いた状態を示したものである。
【図４】同曲がり桝の桝本体の平面図である。
【図５】同曲がり桝に用いる割りカラーの斜視図である。
【図６】同曲がり桝の使用状態の説明図である。
【図７】本発明の他の実施形態に係る左右両用曲がり桝の分解正面図である。
【図８】同曲がり桝の正面図で、継ぎ筒体が左側へ傾いた状態を示したものである。
【図９】本発明の更に他の実施形態に係る左右両用曲がり桝の分解正面図である。
【図１０】同曲がり桝の正面図である。
【図１１】同曲がり桝の正面図で、継ぎ筒体が左側へ傾いた状態を示したものである。
【符号の説明】
１  桝本体
１ａ  湾曲溝
１ｂ，１ｃ  排水管接続口
１ｄ  上端開口部
１ｇ  上端開口部の環状上端面
１ｈ  環状上端面の左半周部分と右半周部分の境界点を示す目印
１ｉ  軸受部
２  継ぎ筒体
２ａ  上筒部
２ｂ  下筒部
２ｃ  上筒部の環状下端面
２ｄ  環状下端面の左半周部分と右半周部分の境界点を示す目印
２ｅ  軸受孔
３  割りカラー
３ａ  上面
３ｂ  下面
４  排水管
５  高さ調節筒
６  桝蓋
Ｇ  地面
【図１】
0003693217.tif 000002
【図２】
0003693217.tif 000003
【図３】
0003693217.tif 000004
【図４】
0003693217.tif 000005
【図５】
0003693217.tif 000006
【図６】
0003693217.tif 000007
【図７】
0003693217.tif 000008
【図８】
0003693217.tif 000009
【図９】
0003693217.tif 000010
【図１０】
0003693217.tif 000011
【図１１】
0003693217.tif 000012